(57)【要約】【課題】光源ユニットを取り付けた際にコードを許容範囲外の領域にはみ出しにくくさせること。【解決手段】実施形態に係る照明装置は、本体ユニットと、光源ユニットと、電源ユニットと、コネクタとを具備する。本体ユニットは、開口部を有する。光源ユニットは、本体ユニットに取り付けられ、開口部を介して光を照射する。電源ユニットは、本体ユニットに近接させて設けられ、光源ユニットへ給電する。コネクタは、端子面が斜めに電源ユニット側を向くように光源ユニットに設けられ、電源ユニットからのコードが接続される。【選択図】図７
2019061865.tif 000002
【特許請求の範囲】
【請求項１】
開口部を有する本体ユニットと；
前記本体ユニットに取り付けられ、前記開口部を介して光を照射する光源ユニットと；
前記本体ユニットに近接させて設けられ、前記光源ユニットへ給電する電源ユニットと；
端子面が斜めに前記電源ユニット側を向くように前記光源ユニットに設けられ、前記電源ユニットからのコードが接続されるコネクタと；
を具備する照明装置。
【請求項２】
前記コネクタは、
前記端子面が、前記電源ユニットからの前記コードの引き出し位置とはずれた位置を向くように設けられる、請求項１に記載の照明装置。
【請求項３】
前記電源ユニットは、
コイル状に巻回され、一端側が前記電源ユニットに固定されるコイル部と；
前記コイル部の他端側から延設されたアーム部と；
前記アーム部の先端に設けられ、前記コードを保持するコード保持部と；
をさらに具備し、
前記コネクタは、
前記端子面の位置が前記コード保持部よりも前記電源ユニット側となるように設けられる、請求項１または２に記載の照明装置。
【請求項４】
前記本体ユニットは、
前記開口部とは異なる他の開口部；
をさらに具備し、
前記光源ユニットは、
熱を放熱する放熱体；
をさらに具備し、
前記光源ユニットは、
前記他の開口部から前記放熱体の少なくとも一部が露出するように、前記本体ユニットへ取り付けられる、請求項１、２または３に記載の照明装置。
【発明の詳細な説明】
【技術分野】
【０００１】
本発明の実施形態は、照明装置に関する。
【背景技術】
【０００２】
従来、天井等に設置された本体ユニットに対して発光モジュールを有する光源ユニットを着脱可能とするとともに、天井等や本体ユニットに配設された電源ユニットと光源ユニットとを点灯電源の給電のためのコードで接続するようにした照明装置が知られている。
【０００３】
このような照明装置では、光源ユニットを本体ユニットに取り付ける際、コードの先端側を本体ユニットの内側から下方へ引き出し、本体ユニットの下方でコードと光源ユニットとを接続した後、光源ユニットを本体ユニットの内側へ挿入して取り付けている。
【先行技術文献】
【特許文献】
【０００４】
【特許文献１】特開２０１７−５４７４８号公報
【発明の概要】
【発明が解決しようとする課題】
【０００５】
しかしながら、コードの先端側を本体ユニットの内側から下方に引き出し、本体ユニットの下方でコードと光源ユニットとを接続するためには、コードはある程度の長さを有する。このため、光源ユニットを本体ユニットの内側へ挿入して取り付けた際には、コードが、弛みにより装置外の許容範囲外の領域にはみ出してしまいやすい。
【０００６】
本発明が解決しようとする課題は、光源ユニットを取り付けた際にコードを許容範囲外の領域にはみ出しにくくさせることができる照明装置を提供することである。
【課題を解決するための手段】
【０００７】
実施形態の一例に係る照明装置は、本体ユニットと、光源ユニットと、電源ユニットと、コネクタとを具備する。前記本体ユニットは、開口部を有する。前記光源ユニットは、前記本体ユニットに取り付けられ、前記開口部を介して光を照射する。前記電源ユニットは、前記本体ユニットに近接させて設けられ、前記光源ユニットへ給電する。前記コネクタは、端子面が斜めに前記電源ユニット側を向くように前記光源ユニットに設けられ、前記電源ユニットからのコードが接続される。
【発明の効果】
【０００８】
本発明によれば、光源ユニットを取り付けた際にコードを許容範囲外の領域にはみ出しにくくさせることが期待できる。
【図面の簡単な説明】
【０００９】
【図１】図１は、実施形態に係る照明装置の上方斜視図である。
【図２】図２は、実施形態に係る照明装置の下方斜視図である。
【図３】図３は、実施形態に係る照明装置の側面図（その１）である。
【図４】図４は、実施形態に係る照明装置の側面図（その２）である。
【図５】図５は、光源ユニットが取り付けられる前の状態を示す斜視図である。
【図６】図６は、光源ユニットの斜視図である。
【図７】図７は、光源ユニットが取り付けられた後の状態を示す斜視図である。
【図８】図８は、コード押さえばね周辺を示す下方斜視図である。
【図９】図９は、光源ユニットが取り付けられる際のコードの状態を示す模式図である。
【発明を実施するための形態】
【００１０】
以下で説明する実施形態に係る照明装置１０は、本体ユニット１１と、光源ユニット１２と、電源ユニット１３と、光源側コネクタ１２ｃ（「コネクタ」の一例に相当）とを具備する。本体ユニット１１は、開口部１１ａを有する。光源ユニット１２は、本体ユニット１１に取り付けられ、開口部１１ａを介して光を照射する。電源ユニット１３は、本体ユニット１１に近接させて設けられ、光源ユニット１２へ給電する。光源側コネクタ１２ｃは、端子面が斜めに電源ユニット１３側を向くように光源ユニット１２に設けられ、電源ユニット１３からのコード１３ｆが接続される。
【００１１】
以下で説明する実施形態に係る光源側コネクタ１２ｃは、端子面が、電源ユニット１３からのコード１３ｆの引き出し位置とはずれた位置を向くように設けられる。
【００１２】
以下で説明する実施形態に係る電源ユニット１３は、コイル部１４ａと、アーム部１４ｂと、コード保持部１４ｃとをさらに具備する。コイル部１４ａは、コイル状に巻回され、一端側が電源ユニット１３に固定される。アーム部１４ｂは、コイル部１４ａの他端側から延設される。コード保持部１４ｃは、アーム部１４ｂの先端に設けられ、コード１３ｆを保持する。光源側コネクタ１２ｃは、端子面の位置がコード保持部１４ｃよりも電源ユニット１３側となるように設けられる。
【００１３】
以下で説明する実施形態に係る本体ユニット１１は、開口部１１ａとは異なる他の開口部１１ｂをさらに具備する。光源ユニット１２は、熱を放熱する放熱体１２ａをさらに具備する。光源ユニット１２は、他の開口部１１ｂから放熱体１２ａの少なくとも一部が露出するように、本体ユニット１１へ取り付けられる。
【００１４】
以下、図面を参照して、実施形態に係る照明装置１０について説明する。実施形態において同一の部位には同一の符号を付し、重複する説明は省略される。
【００１５】
まず、図１〜図３を用いて、実施形態に係る照明装置１０の基本的な構成の一例について説明する。図１は、実施形態に係る照明装置１０の上方斜視図である。また、図２は、実施形態に係る照明装置１０の下方斜視図である。また、図３は、実施形態に係る照明装置１０の側面図（その１）である。なお、図３では、本体ユニット１１を透過させて示している。
【００１６】
図１〜図３に示すように、照明装置１０は、例えば天井板等の天井部材１００（図３参照）に形成された円形の埋込孔に埋め込み設置されるダウンライトである。なお、本実施形態では、図中のＺ軸の正方向側を上側、同負方向側を下側、Ｙ軸の正方向側を前側、同負方向側を後側とする。
【００１７】
照明装置１０は、本体ユニット１１と、光源ユニット１２と、電源ユニット１３とを備える。本体ユニット１１は、照明装置１０の本体部であり、前述の埋込孔に埋め込み設置される部位である。
【００１８】
光源ユニット１２は、かかる本体ユニット１１に着脱可能に設けられる。光源ユニット１２は、図示略の発光モジュール、かかる発光モジュールを下面側に配設する放熱体１２ａ、かかる放熱体１２ａの下面側に配設される透過性のカバー１２ｂ、放熱体１２ａの上部側に配設される光源側コネクタ１２ｃおよび光源側コネクタ１２ｃを支持するコネクタホルダ１２ｄ等を備える。光源ユニット１２は、本体ユニット１１に形成された開口部１１ａを介して光を照射する。
【００１９】
なお、光源ユニット１２は、本体ユニット１１の中心軸ａｘＣ１に対して、光源ユニット１２の中心軸ａｘＣ２が斜めとなるように取り付けられる。したがって、光源ユニット１２は、開口部１１ａの開口面に対して斜め方向に光を照射する。
【００２０】
このため、照明装置１０は、例えば水平の天井部材１００へ設置された場合には、光源ユニット１２から照射される光により壁面等を照らすことができる。また、照明装置１０は、水平から傾斜した天井部材１００へ設置された場合には、光源ユニット１２から照射される光により例えば真下を照らすことができる。
【００２１】
なお、光源ユニット１２は、発光モジュールが、発光出力や発光色の違いに応じた複数種の種類を有する場合、その種類を電源ユニット１３で判別できるようにして、種類毎に適切な点灯電源が電源ユニット１３から給電されるように構成されている。例えば、発光モジュールから電源ユニット１３へ、その種類に応じた信号が出力されるように構成されている。
【００２２】
また、本体ユニット１１には、下面側の開口部１１ａに対し、上面側にも開口部１１ｂが形成されており、放熱体１２ａや光源側コネクタ１２ｃ等を含む光源ユニット１２の上部側は、かかる開口部１１ｂから露出している。これにより、本体ユニット１１に対し、光源ユニット１２から放散される熱がこもるのを防止するとともに、冷却のために必要となる部品点数を減らすことができる。
【００２３】
電源ユニット１３は、本体ユニット１１に近接させて設けられ、光源ユニット１２へ給電する。電源ユニット１３は、例えば本体ユニット１１の上側で本体ユニット１１の側方に突出するように配置される。
【００２４】
電源ユニット１３は、電源部１３ａと、かかる電源部１３ａを取り付ける取付板としての第１天板１３ｂおよび第２天板１３ｃと、第１天板１３ｂに取り付けられる端子台１３ｄ等を備える。
【００２５】
電源部１３ａは、電源回路が搭載された図示略の電源基板を有する。電源基板の電源回路は、商用交流電源を入力し、所定の直流電源に変換して光源ユニット１２へ出力する。このとき、電源回路は、例えば光源ユニット１２の発光モジュールから種類に応じた信号を入力し、発光モジュールの種類に応じた適切な直流電源を出力することができる。
【００２６】
電源部１３ａは、第１天板１３ｂおよび第２天板１３ｃの下面側に取り付けられており、前述の電源基板の入力側に端子台１３ｄが設けられ、電気的に接続される。また、電源部１３ａは、電源基板の出力側からは、光源ユニット１２へ給電するためのコード１３ｆ（図８および図９参照）が引き出される。
【００２７】
第１天板１３ｂおよび第２天板１３ｃは、例えば金属板によって断面略コ字形に形成されており、下面側に電源部１３ａおよび端子台１３ｄ等が取り付けられる。
【００２８】
なお、第２天板１３ｃは、光源ユニット１２側へ延設された庇部１３ｅを有する。庇部１３ｅは、前述の開口部１１ｂから露出した光源ユニット１２の上部側を覆うように設けられる。また、庇部１３ｅは、その面方向が前述の中心軸ａｘＣ２と略直交するように、第２天板１３ｃからは傾斜させて設けられる。
【００２９】
かかる庇部１３ｅが設けられることにより、本体ユニット１１から露出した光源ユニット１２の上部側へホコリ等が落下して付着するのを抑えることができる。
【００３０】
また、図３に示すように、照明装置１０は、コード押さえばね１４をさらに備える。コード押さえばね１４は、コード１３ｆを保持する部材であり、本体ユニット１１の上部側に配置され、自由状態においてはコード１３ｆを庇部１３ｅ側へ付勢した状態で保持する。コード押さえばね１４の詳細については、図８以降を用いた説明で後述する。
【００３１】
次に、図４〜図７を用いて、光源ユニット１２の取り付け方について説明する。図４は、実施形態に係る照明装置１０の側面図（その２）である。なお、図４でも図３と同様に、本体ユニット１１を透過させて示している。
【００３２】
また、図５は、光源ユニット１２が取り付けられる前の状態を示す斜視図である。また、図６は、光源ユニット１２の斜視図である。また、図７は、光源ユニット１２が取り付けられた後の状態を示す斜視図である。図５および図７では、説明を分かりやすくするために、一部の部材を透過させて示している。
【００３３】
なお、光源ユニット１２が取り付けられるのに先立っては、図４に示すように、電源ユニット１３が取り付けられた本体ユニット１１が、天井部材１００へ埋め込み設置される。
【００３４】
かかる本体ユニット１１の埋め込み設置に際しては、天井部材１００の埋込孔から予め下方へ引き出されている電源線や信号線が、照明装置１０の電源ユニット１３の端子台１３ｄへ接続される。
【００３５】
そして、第１天板１３ｂの突出した一端側を上方へ向けて電源ユニット１３が天井部材１００の埋込孔へ下方から挿入され、つづいて、本体ユニット１１の上面側が上方を向くように回動させつつ、本体ユニット１１が埋込孔へ下方から挿入される。
【００３６】
本体ユニット１１は、例えばその枠体１１ｃの外周に所定間隔で配置され、自由状態において先端側が中心軸ａｘＣ１を中心とする放射方向へ拡開するように構成された図示略の取付ばね等によって天井部材１００へ支持される。かかる取付ばねを用いる場合には、本体ユニット１１の埋込孔への挿入時に、取付ばねは枠体１１ｃの表面に沿うように弾性変形させた状態で枠体１１ｃとともに埋込孔へ挿入される。
【００３７】
そして、挿入された後、取付ばねは、そのばね力によって天井部材１００の上面側で前述の放射方向へ拡開し、天井部材１００の上面に当接して枠体１１ｃを上方に引き上げ、本体ユニット１１のフランジ部１１ｄを天井部材１００の下面に当接させた状態で、照明装置１０の全体を天井部材１００へ支持する。
【００３８】
そして、光源ユニット１２が、本体ユニット１１へ取り付けられる。図４に示すように、光源ユニット１２は、本体ユニット１１の下面側から挿入された後（図中の矢印４０１参照）、所定の装着方向に所定角度回動させることによって、本体ユニット１１に装着されるように構成されている。また、光源ユニット１２は、本体ユニット１１に装着された状態で、押し上げながら所定の取外し方向（前述の装着方向と反対方向）に所定角度回動させた後、本体ユニット１１の下面側から抜き外すように構成されている。
【００３９】
具体的には、図５に示すように、本体ユニット１１は、枠体１１ｃの内部に、反射鏡１１ｅと、ユニットホルダ１１ｆとを有する。反射鏡１１ｅは、開口部１１ａの上方に配置され、ユニットホルダ１１ｆは、反射鏡１１ｅと開口部１１ｂの間に配置される。
【００４０】
反射鏡１１ｅおよびユニットホルダ１１ｆにはそれぞれ、開口部１１ａおよび開口部１１ｂの間が貫通構造となり、光源ユニット１２が挿入可能となるように、挿入孔１１ｅａ，１１ｆａが形成されている。また、ユニットホルダ１１ｆの挿入孔１１ｆａの外縁には、光源ユニット１２を着脱可能に係止するための一対の係止部１１ｆｂが設けられている。
【００４１】
一方、図６に示すように、光源ユニット１２は、放熱体１２ａに、フィン１２ａａと、周壁部１２ａｂと、取付溝１２ａｃとを有する。また、光源ユニット１２は、放熱体１２ａとカバー１２ｂとの間に、発光モジュール１２ｅを有する。
【００４２】
フィン１２ａａは、中心軸ａｘＣ２から放射状に複数配設される。周壁部１２ａｂは、これらフィン１２ａａの外側部を一体に接続するようにフィン１２ａａの周囲に略円筒状に設けられる。
【００４３】
発光モジュール１２ｅが発光する際に発生する熱は、放熱体１２ａに伝導され、これら複数のフィン１２ａａおよび周壁部１２ａｂを含む放熱体１２ａの全体から空気中に放散される。
【００４４】
取付溝１２ａｃは、周壁部１２ａｂに略Ｌ字状に一対形成される。これら取付溝１２ａｃは、光源ユニット１２が本体ユニット１１へ挿入される際に、前述のユニットホルダ１１ｆの一対の係止部１１ｆｂとそれぞれ係合する。
【００４５】
取付溝１２ａｃは、係止部１１ｆｂを中心軸ａｘＣ２方向に相対的に移動可能とする縦溝部１２１と、係止部１１ｆｂをかかる縦溝部１２１の下端側から周壁部１２ａｂの周方向に沿って移動可能とする横溝部１２２を有する。
【００４６】
なお、光源ユニット１２は、放熱体１２ａの上面側中央部にフィン１２ａａが設けられない空間を有しており、かかる空間には光源側コネクタ１２ｃが配置される。光源側コネクタ１２ｃは、光源ユニット１２が本体ユニット１１へ取り付けられた状態において、光源側コネクタ１２ｃの端子面が斜めに電源ユニット１３側を向くように、コネクタホルダ１２ｄによって保持される。また、光源側コネクタ１２ｃは、内部配線によって発光モジュール１２ｅと電気的に接続される。なお、本実施形態では、光源側コネクタ１２ｃは、雌型コネクタであるものとするが、コネクタ形状の雌雄を限定するものではない。
【００４７】
このように構成された光源ユニット１２が本体ユニット１１へ取り付けられるに際し、まず本体ユニット１１内から前述のコード１３ｆが引き出される。コード１３ｆの先端側には雄型コネクタである電源側コネクタ１３ｇ（図８および図９参照）が設けられており、かかる電源側コネクタ１３ｇが光源側コネクタ１２ｃへ接続される。
【００４８】
そして、光源ユニット１２は、天井部材１００へ埋め込み設置された本体ユニット１１の内側を底面視することによって確認される、ユニットホルダ１１ｆの係止部１１ｆｂと、光源ユニット１２の縦溝部１２１とが係合するように位置決めされる。そのうえで、光源ユニット１２は、本体ユニット１１の内部へ下方から挿入される。
【００４９】
光源ユニット１２は、開口部１１ａ、挿入孔１１ｅａ、挿入孔１１ｆａ、開口部１１ｂを順に介して本体ユニット１１の内部へ挿入されるが、挿入孔１１ｆａを介する際に、光源ユニット１２の縦溝部１２１へ相対的にユニットホルダ１１ｆの係止部１１ｆｂが進入するとともに、光源ユニット１２がユニットホルダ１１ｆの内側へ挿入される。
【００５０】
そして、ユニットホルダ１１ｆの内側へ挿入された光源ユニット１２がさらに挿入されると、縦溝部１２１の最奥部がユニットホルダ１１ｆの係止部１１ｆｂへ当接して、光源ユニット１２は、本体ユニット１１に対して挿入可能な最深位置へ到達する。かかる位置で光源ユニット１２が前述の所定の装着方向（図６では、光源ユニット１２を平面視した場合の反時計回り方向）に所定角度回動されると、ユニットホルダ１１ｆの係止部１１ｆｂが相対的に横溝部１２２へ進入した後、横溝部１２２の最奥部へ当接する。これにより、光源ユニット１２が本体ユニット１１に対し、取り付けられた状態となる。
【００５１】
すなわち、図７に示すように、光源ユニット１２は、光源ユニット１２の横溝部１２２の最奥部とユニットホルダ１１ｆの係止部１１ｆｂが係合することによって、ユニットホルダ１１ｆに保持される。また、光源ユニット１２は、本体ユニット１１の開口部１１ｂの内周によっても保持される。これにより、一対の係止部１１ｆｂによる二点支持を補いつつ、光源ユニット１２を保持することができる。
【００５２】
なお、光源ユニット１２を取り外すには、光源ユニット１２を前述の装着方向とは反対の取外し方向（図６では、光源ユニット１２を平面視した場合の時計回り方向）に回動させることにより、光源ユニット１２の係止部１１ｆｂを相対的に縦溝部１２１の位置に移動させ、光源ユニット１２を挿入時とは反対に下方に抜き出すこととなる。
【００５３】
また、既に述べたが、図７に示すように、光源側コネクタ１２ｃは、光源ユニット１２が本体ユニット１１へ取り付けられた状態において、光源側コネクタ１２ｃの端子面が斜めに電源ユニット１３側を向くように、コネクタホルダ１２ｄによって保持される。このように光源側コネクタ１２ｃを配置することにより、光源ユニット１２を取り付けた際にコード１３ｆを許容範囲外の領域にはみ出しにくくさせることが可能となる。
【００５４】
次に、かかる点について具体的に、図８および図９を用いて説明する。図８は、コード押さえばね１４周辺を示す下方斜視図である。また、図９は、光源ユニット１２が取り付けられる際のコード１３ｆの状態を示す模式図である。
【００５５】
光源ユニット１２を本体ユニット１１へ取り付けるに際し、コード１３ｆの先端側を本体ユニット１１の内側から下方へ引き出し、本体ユニット１１の下方でコード１３ｆの電源側コネクタ１３ｇと、光源ユニット１２の光源側コネクタ１２ｃとを接続する点については既に述べた。したがって、コード１３ｆの長さは、電源側コネクタ１３ｇを本体ユニット１１の下方に少し引き出して、光源ユニット１２の光源側コネクタ１２ｃに接続可能となる長さに設定されている。
【００５６】
このようにコード１３ｆは、本体ユニット１１の下方で、電源側コネクタ１３ｇと光源ユニット１２の光源側コネクタ１２ｃとが接続可能となる長さを有するため、光源ユニット１２を本体ユニット１１の内部へ挿入していくと、コード１３ｆには余分な長さ部分が生じることとなる。コードであるので、かかる余分な長さ部分は弛んで曲がることとなり、コード１３ｆは、あらぬ方向へはみ出しつつ収容されてしまうおそれがある。通常、電気設備の設置は基準となる規格に沿う必要があり、例えばコード１３ｆもはみ出してよい許容範囲内に収める必要がある。
【００５７】
そこで、本実施形態に係る照明装置１０では、コード押さえばね１４によってコード１３ｆを保持するとともに、光源ユニット１２が本体ユニット１１へ取り付けられた状態において、端子面が斜めに電源ユニット１３側を向くように光源側コネクタ１２ｃを配置している。
【００５８】
具体的には、図８に示すように、コード押さえばね１４は、例えば電源ユニット１３の第２天板１３ｃの下面側に設けられる。コード押さえばね１４は、ばね線材によって形成されている。
【００５９】
コード押さえばね１４は、コイル状に巻回された一対のコイル部１４ａと、対向する各コイル部１４ａの一端から延設された一対のアーム部１４ｂとを有する。各コイル部１４ａの他端はそれぞれ第２天板１３ｃに固定される。一対のアーム部１４ｂの先端間にはコード保持部１４ｃが設けられている。
【００６０】
電源ユニット１３の電源部１３ａから引き出されたコード１３ｆは、一対のコイル部１４ａの間、一対のアーム部１４ｂの間、および、コード保持部１４ｃによって形成される空間において位置決めされ、保持される。
【００６１】
一対のコイル部１４ａは、軸ａｘＲ上に対向配置され、自由状態においてコード１３ｆを庇部１３ｅ側へ付勢した状態で保持できるように互いに逆巻きに巻回されている。このため、光源ユニット１２を本体ユニット１１へ取り付けるに際してコード１３ｆを引き出す場合には、かかるコイル部１４ａのばね力による付勢に抗してコード１３ｆを引き出すこととなる。
【００６２】
ただし、このとき一対のアーム部１４ｂが軸ａｘＲを中心に回動し、下方を向くので、コード押さえばね１４によって保持されたコード１３ｆおよび電源側コネクタ１３ｇはその位置が下方に下がることとなる。これにより、コード１３ｆを位置決めしつつ引き出すことができる。
【００６３】
一方、コード１３ｆの引き出しを解除する場合には、図９に示すように、一対のコイル部１４ａのばね力による付勢によって、一対のアーム部１４ｂが軸ａｘＲを中心に引き出し時とは反対方向に回動することとなる（図中の矢印９０１参照）。
【００６４】
これにより、光源ユニット１２を本体ユニット１１へ取り付けるに際して、少なくともコード押さえばね１４によって位置決めされ、保持されている部分のコード１３ｆの弛みを吸収するのに資することができる。また、光源ユニット１２を本体ユニット１１へ取り付けるに際して、コード１３ｆを、本体ユニット１１と光源ユニット１２との間に挟まりにくくすることができる。
【００６５】
また、図９に示すように、光源ユニット１２が本体ユニット１１へ挿入されていくとともに、光源側コネクタ１２ｃとコード押さえばね１４は接近し、コード１３ｆの弛みは大きくなって、その曲がりも大きくなる。
【００６６】
ただし、本実施形態では、光源ユニット１２の光源側コネクタ１２ｃは、上述のように、端子面が斜めに電源ユニット１３側を向くように配置されている。したがって、図９に示すように、光源側コネクタ１２ｃとコード押さえばね１４が接近しても、電源側コネクタ１３ｇおよび光源側コネクタ１２ｃの接続部と、コード保持部１４ｃとの間で、コード１３ｆを略Ｓ字状に曲げやすくすることができる。すなわち、コード１３ｆの曲がり方向を所定方向へ規制しやすくできる。
【００６７】
これにより、光源ユニット１２が本体ユニット１１へ取り付けられる際に、コード１３ｆを庇部１３ｅの下方へ収容しやすくすることができる。すなわち、光源ユニット１２を取り付けた際に、コード１３ｆを許容範囲外の領域にはみ出しにくくさせることができる。
【００６８】
なお、光源側コネクタ１２ｃは、光源ユニット１２が本体ユニット１１へ取り付けられた状態において、その端子面の位置が、コード押さえばね１４の先端部（すなわち、コード保持部１４ｃ）よりも電源ユニット１３側となるように設けられることが好ましい。これにより、コード１３ｆをよりＳ字状に曲げやすくすることができる。
【００６９】
また、光源側コネクタ１２ｃは、光源ユニット１２が本体ユニット１１へ取り付けられた状態において、例えば図７に示したように、その端子面がコード押さえばね１４の延在方向とはずれた方向を向くように設けられることが好ましい。コード押さえばね１４の延在方向は、言い換えれば電源ユニット１３からのコード１３ｆの引き出し方向である。
【００７０】
光源ユニット１２が本体ユニット１１へ取り付けられた状態において、かかる引き出し方向とはずれた方向を光源側コネクタ１２ｃの端子面が向いていることによって、光源側コネクタ１２ｃから電源側コネクタ１３ｇを引き抜く方向に作用するコード１３ｆそのものの弾性による反発力を散らすことができる。すなわち、電源側コネクタ１３ｇおよび光源側コネクタ１２ｃを外れにくくすることができる。なお、光源側コネクタ１２ｃの端子面は、電源ユニット１３からのコード１３ｆの引き出し位置とはずれた位置を向いていると言い換えてもよい。
【００７１】
上述してきたように、実施形態に係る照明装置１０は、本体ユニット１１と、光源ユニット１２と、電源ユニット１３と、光源側コネクタ１２ｃ（「コネクタ」の一例に相当）とを具備する。本体ユニット１１は、開口部１１ａを有する。光源ユニット１２は、本体ユニット１１に取り付けられ、開口部１１ａを介して光を照射する。電源ユニット１３は、本体ユニット１１に近接させて設けられ、光源ユニット１２へ給電する。光源側コネクタ１２ｃは、端子面が斜めに電源ユニット１３側を向くように光源ユニット１２に設けられ、電源ユニット１３からのコード１３ｆが接続される。
【００７２】
これにより、光源ユニット１２を取り付けた際にコード１３ｆを許容範囲外の領域にはみ出しにくくさせることが期待できる。
【００７３】
なお、上述した実施形態では、照明装置１０がダウンライトである場合を例に挙げたが、本体ユニット１１に対して電源ユニット１３が近接させて設けられるとともに、本体ユニット１１に対し光源ユニット１２が着脱可能な形態であれば、ダウンライトに限られるものではない。
【００７４】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００７５】
１０    照明装置
１１    本体ユニット
１１ａ  開口部
１１ｂ  開口部
１２    光源ユニット
１２ａ  放熱体
１２ｃ  光源側コネクタ
１３    電源ユニット
１３ｆ  コード
１４    コード押さえばね
１４ａ  コイル部
１４ｂ  アーム部
１４ｃ  コード保持部
【図１】
2019061865.tif 000003
【図２】
2019061865.tif 000004
【図３】
2019061865.tif 000005
【図４】
2019061865.tif 000006
【図５】
2019061865.tif 000007
【図６】
2019061865.tif 000008
【図７】
2019061865.tif 000009
【図８】
2019061865.tif 000010
【図９】
2019061865.tif 000011